(57)【特許請求の範囲】
【請求項１】
内容物が収容される収容凸部を有するＰＴＰシートを、前記収容凸部と嵌入する嵌入穴を有する正面板と、前記正面板と主折線を介して連設された背面板とで挟持して包装するＰＴＰシート用包装体であって、
前記正面板又は前記背面板のいずれか一方には、
前記正面板又は前記背面板を、前記主折線と直交する方向に沿って複数の区画に分割する副折線と、
前記副折線に沿って折り曲げることにより一方の両側において前記副折線の両側から突出する係合片と、が備えられており、
他方には、該他方の両側であって前記係合片と対峙する位置に、該係合片が突出された状態で差入れられて係合する係合部が備えられていることを特徴とするＰＴＰシート用包装体。
【請求項２】
請求項１に記載のＰＴＰシート用包装体であって、
前記主折線を折り曲げて前記ＰＴＰシートを前記正面板と前記背面板とで挟持したときに、前記背面板における前記正面板の嵌入穴と対峙する位置に、開口部を形成自在とする切目が形成されていることを特徴とするＰＴＰシート用包装体。
【請求項３】
請求項１又は２に記載のＰＴＰシート用包装体であって、
前記背面板には、前記主折線を折り曲げて前記ＰＴＰシートを前記正面板と前記背面板とで挟持したときに、前記正面板を覆う被覆板が連設されていることを特徴とするＰＴＰシート用包装体。
【発明の詳細な説明】
【技術分野】
【０００１】
本発明は、ＰＴＰシートを、正面板と背面板とで挟持して包装するＰＴＰシート用包装体に関する。
【背景技術】
【０００２】
従来から、ＰＴＰシートを正面板と背面板とで挟持して包装するＰＴＰシート用包装体として特許文献１〜３の発明が知られている。
【０００３】
特許文献１には、薬剤等の内容物が収容されたＰＴＰシートが服用上の留意事項を記載したカード型包装材によって封止されてなり、当該カード型包装材は一対の厚紙によって構成され、この一対の厚紙の間に、前記ＰＴＰシートを封止してなるＰＴＰシート用包装体が開示されている。
【０００４】
しかしながら、特許文献１の発明は、ＰＴＰシートが一対の厚紙の間に接着剤により接着されて封止されるため一回使い切りであり、再利用することができないといった課題があった。
【０００５】
ところで、特許文献２及び３には、一対の厚紙の間にＰＴＰシートを配置してＰＴＰシートを一対の厚紙で挟持するとともに、一方の厚紙に備えられた差込片を他方の厚紙に備えられた差込穴に差し込んで係合させる係合手段を備えたＰＴＰシートが開示されている。
【０００６】
これら特許文献２及び３の発明は、特許文献１の発明と異なり、一対の厚紙の係合状態を解いてＰＴＰシートを取り出すことができるので、ＰＴＰシート用包装体を再利用することが可能となる。
【先行技術文献】
【特許文献】
【０００７】
【特許文献１】特開平１０−５９４１５号公報
【特許文献２】特開２００３−２２６３７９号公報
【特許文献３】特開２０１２−１３１５６４号公報
【発明の概要】
【発明が解決しようとする課題】
【０００８】
しかしながら、特許文献２及び３の発明は、一方の厚紙に備えられた差込片を他方の厚紙に備えられた差込穴に差し込む作業が非常に煩わしいものであるとともに、ＰＴＰシート用包装体を再利用する度に、差込片を差込穴に差し込んで一対の厚紙を係合させたり、当該係合状態を解いたりすると、差込片に折れ曲がりや破損が生じるため、一対の厚紙を繰り返し係合させることが困難であった。
【０００９】
本発明は、かかる点に鑑みてなされたものであり、その目的とするところは、簡単な作業でＰＴＰシートを包装することができるとともに、繰り返しＰＴＰシートを包装することができるＰＴＰシート用包装体を提供することにある。
【課題を解決するための手段】
【００１０】
上記目的を達するために、本発明は次のとおりの構成としている。
【００１１】
本発明に係るＰＴＰシート用包装体は、内容物が収容される収容凸部を有するＰＴＰシートを、前記収容凸部と嵌入する嵌入穴を有する正面板と、前記正面板と主折線を介して連設された背面板とで挟持して包装するＰＴＰシート用包装体であって、前記正面板又は前記背面板のいずれか一方には、前記正面板又は前記背面板を、前記主折線と直交する方向に沿って複数の区画に分割する副折線と、前記副折線に沿って折り曲げることにより一方の両側において前記副折線の両側から突出する係合片と、が備えられており、他方には、該他方の両側であって前記係合片と対峙する位置に、該係合片が突出された状態で差入れられて係合する係合部が備えられていることを特徴とする。
【００１２】
本発明によれば、正面板又は背面板を副折線に沿って折り曲げるだけで副折線から係合片を突出させることができるとともに、突出された係合片を係合部に差入れることで正面板と背面板とを係合させることができるので、係合作業を容易に行うことができる。さらに、係合作業が従来よりも容易に行うことができるため、当該係合作業を繰り返し行っても係合片の折れ曲がりや破損を生じにくくすることができる。
【００１３】
上記のＰＴＰシート用包装体であって、前記主折線を折り曲げて前記ＰＴＰシートを前記正面板と前記背面板とで挟持したときに、前記背面板における前記正面板の嵌入穴と対峙する位置に、開口部を形成自在とする切目が形成されている構成とする。
【００１４】
このような構成によれば、背面板には、正面板の嵌入穴と対峙する位置に、開口部を形成自在とする切目が形成されているので、切目が切り取られていない場合は、ＰＴＰシートの裏面を塞いで被覆することできる。また、ＰＴＰシートの収容凸部を押圧することによって切目が切り取られて内容物を取り出すこともできる。
【００１５】
上記のＰＴＰシート用包装体であって、前記背面板には、前記主折線を折り曲げて前記ＰＴＰシートを前記正面板と前記背面板とで挟持したときに、前記正面板を覆う被覆板が連設されている構成とする。
【００１６】
このような構成によれば、背面板に連設された被覆板によって、正面板を覆うことができるので、正面板の嵌入穴に嵌入されたＰＴＰシートの収容凸部が不用意に押圧されて内容物が漏出することを防止できる。さらに、被覆板の全面に内容物の情報等を記載することができるので、内容物の情報をより多く記載することができる。
【発明の効果】
【００１７】
本発明によれば、簡単な作業でＰＴＰシートを包装することができるとともに、繰り返しＰＴＰシートを包装することができるＰＴＰシート用包装体を提供できる。
【図面の簡単な説明】
【００１８】
【図１】本発明に係る第一実施形態のＰＴＰシート用包装体の平面図である。
【図２】本発明に係る第一実施形態のＰＴＰシート用包装体の展開図である。
【図３】本発明に係る第一実施形態のＰＴＰシート用包装体の包装手順を側面視で説明する説明図である。
【図４】本発明に係る第一実施形態のＰＴＰシート用包装体の包装手順を側面視で説明する説明図である。
【図５】本発明に係る第一実施形態のＰＴＰシート用包装体の包装手順を側面視で説明する説明図である。
【図６】本発明に係る第一実施形態のＰＴＰシート用包装体の包装手順を側面視で説明する説明図である。
【図７】本発明に係る第一実施形態のＰＴＰシート用包装体の包装手順を側面視で説明する説明図である。
【図８】本発明に係る第一実施形態のＰＴＰシート用包装体の包装手順を平面視で説明する説明図である。
【図９】本発明に係る第一実施形態のＰＴＰシート用包装体の包装手順を裏面視で説明する説明図である。
【図１０】本発明に係る第二実施形態のＰＴＰシート用包装体の展開図である。
【図１１】本発明に係る第二実施形態のＰＴＰシート用包装体の裏面図である。
【図１２】本発明に係る第三実施形態のＰＴＰシート用包装体の展開図である。
【図１３】本発明に係る第三実施形態のＰＴＰシート用包装体の平面図である。
【図１４】本発明に係る第三実施形態のＰＴＰシート用包装体であって、（ａ）は被覆板で被覆したときの平面図、（ｂ）は、（ａ）の矢符ｂからみた側面図である。
【発明を実施するための形態】
【００１９】
以下、本発明に係る３つの実施形態について説明する。なお、各実施形態の説明は、ＰＴＰシート用包装体の構成、ＰＴＰシート用包装体の包装手順の順に説明する。
【００２０】
［第一実施形態］
図１〜９を参照しながら、第一実施形態に係るＰＴＰシート用包装体を説明する。図１は、ＰＴＰシート用包装体の平面図、図２は、ＰＴＰシート用包装体の展開図、図３〜９は、ＰＴＰシート用包装体の包装手順を説明する説明図である。
【００２１】
−ＰＴＰシート用包装体の構成−
本実施形態に係るＰＴＰシート用包装体１０は、内容物が収容される収容凸部ｔを有するＰＴＰシートｓ（例えば、図３参照）を包装するものであって、正面板２０と背面板３０とが主折線Ａを介して連設されている（図２参照）。
【００２２】
正面板２０は、ＰＴＰシートｓを被覆するのに十分な大きさの形状であり、ＰＴＰシートｓの収容凸部ｔと嵌入する嵌入穴ｈ１が複数形成されている。図示例では、主折線Ａと平行方向に２行、主折線Ａと垂直方向に５列、合計で１０個の嵌入穴ｈ１が、略方形状の正面板２０に形成されている。なお、嵌入穴ｈ１の個数及び位置は、ＰＴＰシートｓの収容凸部ｔの個数及び位置に対応している。
【００２３】
正面板２０は、主折線Ａと直交する方向に沿って複数の区画に分割する副折線Ｂが形成されており、図示例では、２つの副折線Ｂによって３つの区画に分割されている。各区画には、ＰＴＰシートｓが収容する内容物の情報や取扱いの情報が印字されていても良い。
【００２４】
各副折線Ｂの両側には、図示例のように、副折線Ｂから突出する係合片２１がそれぞれ備えられている。
【００２５】
正面板２０の区画の最外側には、折線Ｃを介して差入板２２が連設されており、差入板２２には、後述する背面板３０の差入孔３２に差入れ可能な差入片２３が備えられている。なお、折線Ｃの両端部は、差入板２２を折線Ｃに沿って折り曲げたときに、正面板２０及び差入板２２の角が丸角となるように切り欠かれている。
【００２６】
差入板２２には、差入片２３を容易に差入孔３２に差入れるための補助折線Ｄが備えられている。差入片２３は、図示例では、正面板２０の外方に向けて先細りされた略Ｔ字形状としているが、この形状に限られるものではない。
【００２７】
背面板３０は、ＰＴＰシートｓを被覆するのに十分な大きさの形状であり、主折線Ａに沿って背面板３０を折り曲げた際に、背面板３０における正面板２０の嵌入穴ｈ１と対峙する位置に、開口部ｈ２が形成されている。図示例では、主折線Ａと平行方向に２行、主折線Ａと垂直方向に５列、合計で１０個の開口部ｈ２が、略方形状の背面板３０に形成されている。なお、開口部ｈ２の個数及び位置は、ＰＴＰシートｓの収容凸部ｔの個数及び位置に対応している。
【００２８】
背面板３０には、係合片２１が突出された状態で差入れられて係合する係合部３１が備えられている。図示例では、背面板３０の両側であって、正面板２０の係合片２１と対峙する位置の４箇所が切り欠かれており、この切り欠きの大きさは、係合片２１を繰り返し差入れても係合片２１が折れ曲がることがない程度の大きさである。
【００２９】
背面板３０における主折線Ａと直交する方向の端部には、前述した差入片２３が差入れられる差入孔３２が、差入片２３の庇の幅と同幅で形成されている。また、差入孔３２には、Ｔ字状の差入片２３を容易に差入れられるように、スリット３３が形成されている。
【００３０】
−ＰＴＰシート用包装体の包装手順−
次に、ＰＴＰシート用包装体の包装手順について説明する。
【００３１】
まず、背面板３０上に、包装するＰＴＰシートｓを載置し、正面板２０を主折線Ａに沿って折り曲げる（図３参照）。
【００３２】
次に、正面板２０を、主折線Ａに近い側の副折線Ｂに沿って背面板３０から離れる方向に向けて折り曲げて、副折線Ｂから係合片２１を突出させる（図４参照）。この状態で背面板３０の係合部３１に係合片２１を差入れる（図５参照）。その後、副折線Ｂに沿って折られた正面板２０を当該副折線Ｂに沿って曲げ戻すことによって、係合片２１と係合部３１とが係合する（図６参照）。前記した係合作業を、各副折線Ｂ毎に行うことにより、正面板２０と背面板３０とでＰＴＰシートｓを挟持した状態で、正面板２０と背面板３０とが係合される（図７及び図８参照）。
【００３３】
次に、差入板２２を折線Ｃに沿って背面板３０の裏面と当接するように折り曲げるとともに、補助折線Ｄを折り曲げて、差入片２３を差入孔３２に差入れる（図９参照）。これにより、正面板２０と背面板３０とを確実に係合させることができる。
【００３４】
また、上記した包装手順と逆の手順を踏むことによって、係合された正面板２０と背面板３０との係合状態を解くことも可能である。
【００３５】
以上説明したとおり、本発明によれば、正面板２０又は背面板３０を副折線Ｂに沿って折り曲げるだけで副折線Ｂから係合片２１を突出させることができるとともに、突出された係合片２１を係合部３１に差入れるだけで正面板２０と背面板３０とを係合させることができるので、係合作業を容易に行うことができる。さらに、係合作業が従来よりも容易に行うことができるため、当該係合作業を繰り返し行っても係合片２１の折れ曲がりや破損を生じにくくすることができる。
【００３６】
なお、本実施形態では、正面板２０に係合片２１が備えられ、背面板３０に係合部３１が備えられたＰＴＰシート用包装体１０について説明したが、背面板３０に係合片２１が備えられ、正面板２０に係合部３１が備えられたＰＴＰシート用包装体１０としてもよい。
【００３７】
また、本実施形態では、正面板２０に差入板２２が備えられ、背面板に差入孔３２が備えられたＰＴＰシート用包装体１０について説明したが、背面板３０に差入板２２が備えられ、正面板２０に差入孔３２が備えられたＰＴＰシート用包装体１０としてもよい。
【００３８】
［第二実施形態］
次に、図１０及び図１１を参照しながら、第二実施形態に係るＰＴＰシート用包装体を説明する。なお、本実施形態は、上記図１〜図９に示した第一実施形態ものと、背面板３０に切目ｋが形成されている点が異なるものであるから、以下、その相違点について説明し、同一の構成要素については、同一符号を付してその説明を省略する。
【００３９】
図１０は、ＰＴＰシート用包装体の展開図、図１１は、ＰＴＰシート用包装体の裏面図である。
【００４０】
−ＰＴＰシート用包装体の構成−
本実施形態に係るＰＴＰシート用包装体１０の背面板３０には、主折線Ａを折り曲げてＰＴＰシートｓを正面板２０と背面板３０とで挟持したときに、背面板３０における正面板２０の嵌入穴ｈ１と対峙する位置に、開口部ｈ２を形成自在とする切目ｋが形成されている（図１０及び図１１参照）。
【００４１】
−ＰＴＰシート用包装体の包装手順−
本実施形態のＰＴＰシート用包装体の包装手順については、上述した第一実施形態のものと同一であるため、説明を省略する。
【００４２】
以上説明したとおり、本実施形態のＰＴＰシート用包装体１０によれば、背面板３０には、正面板２０の嵌入穴ｈ１と対峙する位置に、開口部ｈ２を形成自在とする切目ｋが形成されているので、切目ｋが切り取られていない場合は、ＰＴＰシートｓの裏面を塞いで被覆することできる。また、ＰＴＰシートｓの収容凸部ｔを押圧することによって切目ｋが切り取られて収容凸部ｔに収容された内容物を取り出すこともできる。
【００４３】
［第三実施形態］
次に、図１２〜１４を参照しながら、第三実施形態に係るＰＴＰシート用包装体を説明する。なお、本実施形態は、上記図１〜図９に示した第一実施形態ものと、背面板３０に被覆板４０が連設されている点が異なるものであるから、以下、その相違点について説明し、同一の構成要素については、同一符号を付してその説明を省略する。
【００４４】
図１２は、ＰＴＰシート用包装体の展開図、図１３は、ＰＴＰシート用包装体の平面図、図１４は、ＰＴＰシート用包装体であって、（ａ）は被覆板で被覆したときの平面図、（ｂ）は、（ａ）の矢符ｂからみた側面図である。
【００４５】
−ＰＴＰシート用包装体の構成−
ＰＴＰシート用包装体１０の背面板３０には、主折線Ａを折り曲げてＰＴＰシートｓを正面板２０と背面板３０とで挟持したときに、正面板２０を覆う被覆板４０が連設されている（図１２参照）。
【００４６】
本実施形態では、背面板３０の長辺側から折目Ｅを介して被覆板４０が連設されている。また、被覆板４０において、折目Ｅから離れた位置には、折目Ｆが設けられており、この折目Ｅと折目Ｆとの間の長さは、被覆板４０を折目Ｅ及び折目Ｆに沿って折り曲げたときに、ＰＴＰシートｓの収容凸部ｔの高さよりも長く設計されている（後述する図１４（ｂ）参照）。
【００４７】
また、本実施形態の図示例では、背面板３０における被覆板４０側の係合部３１は、孔であり、被覆板４０側と反対側の係合部は、切り欠きである（図１２参照）。
【００４８】
−ＰＴＰシート用包装体の包装手順−
本実施形態のＰＴＰシート用包装体の包装手順は、上述した第一実施形態の包装手順でＰＴＰシートｓを包装した後に、被覆板４０を折目Ｅ及び折目Ｆに沿って折り曲げる。これにより、被覆板４０によって正面板２０を覆うことができる（図１３、図１４（ａ）及び図１４（ｂ）参照）。
【００４９】
以上説明したとおり、本実施形態のＰＴＰシート用包装体１０によれば、背面板３０に連設された被覆板４０によって、正面板２０を覆うことができるので、正面板２０の嵌入穴ｈ１に嵌入されたＰＴＰシートｓの収容凸部ｔが不用意に押圧されて内容物が漏出することを防止できる。さらに、被覆板４０の全面に内容物の情報等を記載することができるので、内容物の情報をより多く記載することができる。
【００５０】
なお、上記に示した本発明の実施形態はいずれも本発明を具体化した例であって、本発明の技術的範囲を限定する性格のものではない。
【符号の説明】
【００５１】
１０   ＰＴＰシート用包装体
２０   正面板
２１   係合片
２２   差入板
２３   差入片
３０   背面板
３１   係合部
３２   差入孔
３３   スリット
４０   被覆板
Ａ     主折線
Ｂ     副折線
Ｃ     折線
Ｄ     補助折線
Ｅ     折目
Ｆ     折目
ｈ１   嵌入穴
ｈ２   開口部
ｔ     収容凸部
ｓ     ＰＴＰシート
ｋ     切目
【図１】
0006366536.tif 000002
【図２】
0006366536.tif 000003
【図３】
0006366536.tif 000004
【図４】
0006366536.tif 000005
【図５】
0006366536.tif 000006
【図６】
0006366536.tif 000007
【図７】
0006366536.tif 000008
【図８】
0006366536.tif 000009
【図９】
0006366536.tif 000010
【図１０】
0006366536.tif 000011
【図１１】
0006366536.tif 000012
【図１２】
0006366536.tif 000013
【図１３】
0006366536.tif 000014
【図１４】
0006366536.tif 000015